(57)【要約】      （修正有）【課題】着用者の呼吸を妨げることなく、ユーカリオイルの効能を有効に利用できるマスクを提供する。【解決手段】両側に耳掛け用の紐３が取付けられている鼻および口を覆うマスク本体２の上部に、ユーカリオイルを含浸させている芯材４を、着用者５の鼻腔５ａよりも上側になるように配置するとともに、少なくとも一部が鼻腔５ａ近傍に位置するように配置する。【選択図】図２
0003101718.tif 000002
【実用新案登録請求の範囲】
【請求項１】
両側に耳掛け用の紐が取付けられている鼻および口を覆うマスク本体の上部に、ユーカリオイルを含浸させている芯材を、着用者の鼻腔よりも上側になるように配置するとともに、少なくとも一部が鼻腔近傍に位置するように配置したことを特徴とするマスク。
【請求項２】
前記芯材が、マスクを着用した際に、前記マスク本体に合わせて変形する可撓性を有していることを特徴とする請求項１記載のマスク。
【考案の詳細な説明】
【技術分野】
【０００１】
本考案は、シート状の本体（以下、マスク本体ともいう）で、鼻および口を覆った状態で着用することにより、呼吸の際に吸引する空気を濾過し、大気中に浮遊している花粉や塵・埃またはインフルエンザ等の伝染病のウイルスなどを吸込まないようにして、アレルギー症状の緩和・解消や、伝染病への感染を予防したりするマスクに関するものである。
【背景技術】
【０００２】
従来、フトモモ科の常緑高木であるユーカリの葉から抽出した油（ユーカリオイル）は、抗アレルギー作用、殺菌作用、抗菌作用、収斂作用（止血・鎮痛・消炎・防腐など）等を有していることが知られており、様々な分野で利用されている。例えば、医薬品では収斂剤や止寫薬等、一般家庭用品としては歯磨き粉やリンスなど、また、ユーカリオイルがハッカ臭を有していることから香水やアロマオイルなどにも利用されている。さらに、少量の水にユーカリオイルを数滴垂らし、その水溶液を温めることで少しづつ蒸発させ、その蒸気を吸引することにより、鼻づまりなどのアレルギー症状を緩和させたり、鼻・喉・気管の粘膜の炎症を抑えたりすることにも利用されている。
【０００３】
以上のようなユーカリオイルの作用効果に着目し、ユーカリオイルを利用した抗菌性のマスクや抗アレルギー作用を有するマスク、またユーカリオイルのハッカ臭によって着用者に清涼感を感じさせる作用のあるマスクなどが提案されている。それは、例えば以下に示すようなものである。
【０００４】
１）植物性精油（ユーカリオイル）とｄｌ―メントールとを含有している徐放性抗アレルギー製剤を基体に含浸させて、この基体を封入したパッケージをマスク本体に設けたポケットに収納し、アレルギー症状の緩和または解消効果を持たせたマスク（例えば、特許文献１参照）。
【０００５】
２）布材で形成されているマスク本体の内部に、ユーカリやラジアタ等の薬剤を染み込ませた不織布を貼付し、器官の粘膜の炎症を抑えたり、鼻づまりを解消する効果を持たせたマスク（例えば、特許文献２参照）。
【０００６】
３）布材で形成されているマスク本体の内部に、揮発性の清涼剤（Ｉ―メントール、ユーカリオイル、ボルネオール、ペパーミントオイルなど）と抗菌剤（レモンオイル、オレンジオイルなどの柑橘類の抽出エキス）および中性脂肪酸（界面活性剤として使用）とを混合したものを含浸させたパッドを挿入することで、抗菌性と清涼感とを兼ね備えるようにしたマスク。（例えば、特許文献３参照）
このような１）〜３）のマスクは、揮発性を有しているユーカリ油を含浸させた不織布やパッケージまたはパッドなどをマスク本体に設け、これらから空気中に揮散したユーカリオイルを着用者に吸引させることにより、アレルギー症状の緩和・解消や、気管の粘膜の炎症抑制、また着用感の向上等を図るものである。
【特許文献１】特開２００２−３７０９７４号公報（第２〜３頁、および図１）
【特許文献２】特開平１１−３４２２１５号公報（第２頁、および図１〜５）
【特許文献３】実公平６−１７０９号公報（第１〜３頁、および図１〜２）
【考案の開示】
【考案が解決しようとする課題】
【０００７】
しかしながら、これらのマスクは、ユーカリオイル等を含浸させている基体を封入したパッケージや、ユーカリオイル等を含浸させている不織布やパッドが、マスク本体の中央部分に配置されているため、これらがマスク本体の通気を阻害することがあり、着用した際に呼吸しづらくなる場合がある。
【０００８】
本考案は、着用者の呼吸を妨げることなく、ユーカリオイルの効能を有効に利用できるマスクを提供することを目的としている。
【課題を解決するための手段】
【０００９】
上記の課題を解決するために、請求項１記載のマスクは、両側に耳掛け用の紐が取付けられている鼻および口を覆うマスク本体の上部に、ユーカリオイルを含浸させている芯材を、着用者の鼻腔よりも上側になるように配置するとともに、少なくとも一部が鼻腔近傍に位置するように配置したこと特徴としている。
【００１０】
請求項１のマスクによれば、ユーカリオイルを含浸させている前記芯材の少なくとも一部が、着用者の鼻腔近傍に位置するように配置されているので、着用者は前記芯材から空気中に揮散したユーカリオイルを吸引し易いうえに、前記芯材は、着用の際に鼻腔よりも上側になるように前記マスク本体に設けられているので、着用者の呼吸に伴う空気の流れを阻害することがない。したがって着用者は、着用の際の息苦しさを感じることなく、揮散したユーカリオイルを効率良く体内に取込むことが可能となる。
【００１１】
なお、前記芯材には、ポリエチレン・ポリプロピレン・ポリエチレン―テレフタラート
などの合成樹脂や、分解不織布、ボール紙などを用いることがきる。また、焼却しても有害物質を排出しにくいなど環境負荷の少ない生分解性のプラスチックなどを用いることも有効である。そして、これらのような芯材を、ユーカリオイル中にドブ漬けしたり、加圧・減圧・真空などの含浸法を用いて、その表面からユーカリオイルを浸透させるのである。
【００１２】
請求項２に記載のマスクは、芯材が、マスクを着用した際に、マスク本体に合わせて変形する可撓性を有していることを特徴としている。このような請求項２のマスクによれば、着用した際に、前記芯材がマスク本体に合わせて変形するため、前記マスク本体が着用者の顔になじみ易く、着け心地が損なわれることがない。
【考案の効果】
【００１３】
このようなマスクの効果は、１）長時間着用していても息苦しさを感じることがなく、鼻づまりやくしゃみ等のアレルギー症状の緩和・解消や、インフルエンザ等の伝染病の予防、風邪等による鼻・喉・気管の粘膜の炎症抑制などを効果的に行なうことができる。２）ユーカリオイルのハッカ臭により、着用者に清涼感を与え、気持ちを落ち着かせることができる。３）ユーカリオイルの殺菌・抗菌作用によって、マスク本体を清潔に保つことができるので、常に衛生的な状態での着用が可能となる。４）芯材を、マスクを着用した際に、マスク本体に合わせて変形するような可撓性を有したものにすれば、違和感を感じることなく着用することが可能となる。
【考案を実施するための最良の形態】
【００１４】
本考案にかかるマスクの実施形態について、図１〜３を参照しつつ説明する。図１に示すように、マスク１はマスク本体２とマスク本体２の両側端部にそれぞれ取付けられている耳掛け用の紐３とからなっている。マスク本体２は、ガーゼを折り重ねるようにしてやや横長の略長方形状に形成したもので、その両側端部には筒状に形成された通し穴２ａがそれぞれ設けられている。そして、各通し穴２ａには、一部を挿通させた状態で取付けられている環状の耳掛け用の紐３がそれぞれ設けられている。この耳掛け用の紐３は、ゴム紐が用いられており、マスク本体２を、顔に押し当てた状態で、マスク１を着用できるようになっている。
【００１５】
マスク本体２の上部には、上縁と平行に細長い板状のポリプロピレン（ＰＰ）製の芯材４が設けられている。この芯材４は、５ｍｍ（幅）×０．５〜１．０ｍｍ（厚み）の断面形状を有するもので、その幅方向を上下に向けた状態で、マスク本体２のガーゼ間に取付けられている。この芯材４の位置は、中央部分が着用者の鼻腔５ａの直ぐ上側を通るような位置に配置されている。
【００１６】
芯材４には、フトモモ科の常緑樹木であるユーカリの若葉から、水蒸気ストリッピング（水蒸気蒸留）により抽出した精油（ユーカリオイル）が減圧法により含浸されており、ユーカリオイルが内部まで浸透した状態となっている。
【００１７】
ユーカリオイルは、ハッカ臭を有した無色、或いは帯黄色の流動性のある揮発性精油で、抗アレルギー作用、殺菌作用、抗菌作用、収斂作用（止血・鎮痛・消炎・防腐など）などを有している。したがって、ユーカリオイルの殺菌作用と抗菌作用によって、マスク本体２に付着した菌を死滅させたり、繁殖を抑えたりすることができるため、マスク本体２を清潔な状態に保つことができるのである。
【００１８】
次に、このマスク１の作用について説明する。
【００１９】
マスク本体２の左右両側にある耳掛け用の紐３を、左右の耳にそれぞれ掛けてマスク１を装着すると、芯材４はマスク本体２と同様に、マスク本体２の外側（着用したときに顔と接する面の方を内側、その反対面を外側とする）に湾曲した状態となり、その中央部分が着用者５の鼻腔５ａの直ぐ上側を横切るような状態となる。一方、芯材４に含浸されているユーカリオイルは、その揮発性により順次気化し空気中に揮散していく。
【００２０】
したがって、着用者５は、芯材４によって呼吸が妨げられることなく、且つ芯材４を設けたことによる違和感も感じないので、楽に着用することができるのである。また、芯材４から空気中に揮散したユーカリオイルを吸引し易い状態となっているので、効率良く体内に取込むことができ、アレルギー症状の緩和・解消やインフルエンザ等の伝染病の予防、さらに、風邪等の症状で見られる鼻や喉、気管などの粘膜の炎症抑制などの促進を図ることができる。
【００２１】
さらに、ユーカリオイルはハッカ臭・殺菌作用・抗菌作用を有していることから、着用者５は、清涼感を感じることができ、爽やかな落ち着いた気分になる。
【００２２】
芯材４は、図３に示すように、中央部をマスク本体２の外側に突出させて湾曲部４ａを設けるようにすることもできる。そして、湾曲部４ａが鼻梁を跨ぐようにマスク１を着用すれば、マスク本体２の上端部と顔との隙間を抑えることができるので、マスク本体２を通過しない空気、即ち、マスク本体２で濾過されない汚れた空気が、マスク本体２の内側に流入することを抑えることができるのである。したがって、着用者５が、汚れた空気を吸い込みにくくなるので、ユーカリオイルの効き目をより一層向上させることができる。
【００２３】
本実施形態においては、芯材４を、ポリプロピレンを用いて形成しているが、この他に、ポリエチレン（ＰＥ）やポリエチレン―テレフタラート（ＰＥＴ）や、或いは、化学合成系の脂肪族ポリエステルや天然物系のセルロースなどの生分解性プラスチックを用いても良いし、また、その断面形状も円形や多角形などにしても良い。
【図面の簡単な説明】
【００２４】
【図１】本考案にかかるマスクの実施形態を示す斜視図である。
【図２】本考案にかかるマスクの使用態様を示す説明図である。
【図３】本考案にかかるマスクの別の実施形態を示す斜視図である。
【符号の説明】
【００２５】
１  マスク
２  マスク本体
２ａ  通し穴
３  耳掛け用の紐
４  芯材
４ａ  湾曲部
５  着用者
５ａ  鼻腔
【図１】
0003101718.tif 000003
【図２】
0003101718.tif 000004
【図３】
0003101718.tif 000005